(57)【要約】【課題】熟練した着付け人を必要としなくても、気軽に着物を着て蝶結び帯を楽しむことが可能な蝶結び帯の提供。【解決手段】帯本体と、蝶結びを形成する蝶結び部とから構成される着物用の帯であって、帯本体には、帯本体を着物に巻いて留めるための帯留め部が設けられ、さらに蝶結びを形成する蝶結び部が連結されており、蝶結び部により蝶結びを形成した際に前記の帯留め部が隠れるように蝶結び帯を構成する。また、蝶結び部を、蝶結びの羽根部分を構成するちょうちょ部と、蝶結びのたれを構成するたれ部と、蝶結びを結ぶ結び紐とを含み構成する。【選択図】  図１
2005023489.tif 000002
【特許請求の範囲】
【請求項１】
帯本体と、蝶結びを形成する蝶結び部とから構成される着物用の帯であって、
帯本体には、帯本体を着物に巻いて留めるための帯留め部が設けられ、さらに蝶結びを形成する蝶結び部が連結されており、
蝶結び部により蝶結びを形成した際に前記の帯留め部が隠れるように構成されたことを特徴とする蝶結び帯。
【請求項２】
請求項１に記載の発明において、
前記の蝶結び部は、帯本体の２か所においてそれぞれ連結された一対の蝶結び部により構成され、帯本体を着物に巻いて留めた状態で、一対の蝶結び部を用いて蝶結びに結ぶことにより、前記の帯本体の２か所の間に位置する前記の帯留め部が隠れるように構成されたことを特徴とする蝶結び帯。
【請求項３】
請求項１または２のいずれかに記載の発明において、
前記の蝶結び部の表裏はそれぞれ異なる色彩を有することを特徴とする蝶結び帯。
【請求項４】
帯本体と、蝶結びを形成する蝶結び部とから構成される着物用の帯であって、
帯本体には、帯本体を着物に巻いて留めるための帯留め部が設けられ、さらに蝶結びを形成する蝶結び部が連結されており、
前記の蝶結び部は、蝶結びの羽根部分を構成するちょうちょ部と、蝶結びのたれを構成するたれ部と、蝶結びを結ぶ結び紐とを含み構成されたことを特徴とする蝶結び帯。
【請求項５】
請求項４に記載の発明において、
蝶結びを結ぶ結び紐は２本設けられたことを特徴とする蝶結び帯。
【請求項６】
請求項４または５のいずれかに記載の発明において、
前記のちょうちょ部は帯本体の１か所において連結され、
さらに前記のたれ部と、前記の結び紐とが、帯本体に連結されて構成されたことを特徴とする蝶結び紐。
【請求項７】
請求項４〜６のいずれかに記載の発明において、
前記の結び紐を、蝶結び部に設けられた結び用ループに通す構成としたことを特徴とする蝶結び紐。
【請求項８】
請求項４〜７のいずれかに記載の発明において、
前記の結び紐は、蝶結びを背中側で結び、次いで身体の左右それぞれに廻して腹部側で結ぶように構成されたことを特徴とする蝶結び紐。
【請求項９】
請求項１〜８のいずれかに記載の発明において、
前記の帯留め部は、ファスナー、面ファスナー、スナップ、ボタン、ホックのいずれかの着脱部材を用いて着脱可能にされたことを特徴とする蝶結び帯。
【発明の詳細な説明】
【０００１】
【発明の属する技術分野】
本発明は、蝶結び帯に関する。
【０００２】
【従来の技術】
従来、着物の帯を締める際には、その結び方が複雑であるため着用者が自分で帯締めを行うことは難しく、熟練した着付け人が必要であった。
そのため、気軽に着物を着て好みの結び方を楽しむことは難しく、さらに結んだ後にも着崩れがしないように気を使う必要があった。
【０００３】
【発明が解決しようとする課題】
そこで、簡単に帯を結んだり固定したりするための帯が考案されている。
特開平１０−１８１１６「帯結びベルト」においては、着物の脇にしわにならず、帯をしっかり固定でき、帯結びを奇麗に保ちくずれないようにする帯結びベルトが提案されている。
帯結びベルトは、着物の上に当てるベルトの両端部に平面ファスナーを設けて任意の位置に着脱可能にし、さらにベルトに補正ポケットを設け、この補正ポケットに補整物を入れるように構成している。
しかしながら、この発明は、平面ファスナーで帯締めを固定することに主眼が置かれており、蝶結びなど結び方を美しく見せることにはさしたる改良がなく、しかもこうした結び方を簡易に行うことには特に対応していない。
【０００４】
また、特開平９−３０２５１２「着物用帯装置」においては、補助者を要することなく、帯の着用者自身で帯締めを至極簡易に行え、帯の垂れ部や手先部等を結ぶことなく、単に折り込みながら自分の好みの帯飾りを短時間で素早く形成でき、形崩れもなく長時間にわたり帯飾りを保持でき、帯締めに要する経費も節約できる着物用帯装置が提案されている。
この発明においては飾り羽を装着し、面ファスナーなどで固定するものであるが、図面を参照すれば明らかなように、固定方法が複雑であるばかりでなく、飾り羽は装着するものであって、帯が結ばれるというものではない。
【０００５】
また、実公平１−２４１１１「着物用結び帯」においては、振袖等に着用するふくら雀結び帯において、一人で着用でき、美しい帯飾りであってかつ着崩れることがない結び帯が提案されている。
この考案においても、はねをおたいこ部に装着して固定し、また薄板で補強をするなど、固定方法が複雑であるばかりでなく、飾り羽は装着するものであって、帯が結ばれるというものではない。
【０００６】
そこで本発明においては、上記の様々な課題を解決し、熟練した着付け人を必要としなくても、気軽に着物を着て蝶結び帯を楽しむことができるとともに、さらに結んだ後にも着崩れがしにくく、また見た目には帯を自然に結んだように見える蝶結び帯を提供することを目的とする。
【０００７】
【課題を解決するための手段】
上記課題を解決するため、請求項１に記載の発明においては、
帯本体と、蝶結びを形成する蝶結び部とから構成される着物用の帯であって、
帯本体には、帯本体を着物に巻いて留めるための帯留め部が設けられ、さらに蝶結びを形成する蝶結び部が連結されており、
蝶結び部により蝶結びを形成した際に前記の帯留め部が隠れるように構成された蝶結び帯であることを特徴としている。
【０００８】
また、上記課題を解決するため、請求項２に記載の発明においては、
請求項１に記載の発明において、
前記の蝶結び部は、帯本体の２か所においてそれぞれ連結された一対の蝶結び部により構成され、帯本体を着物に巻いて留めた状態で、一対の蝶結び部を用いて蝶結びに結ぶことにより、前記の帯本体の２か所の間に位置する前記の帯留め部が隠れるように構成された蝶結び帯であることを特徴としている。
【０００９】
また、上記課題を解決するため、請求項３に記載の発明においては、
請求項１または２のいずれかに記載の発明において、
前記の蝶結び部の表裏はそれぞれ異なる色彩を有する蝶結び帯であることを特徴としている。
【００１０】
また、上記課題を解決するため、請求項４に記載の発明においては、
帯本体と、蝶結びを形成する蝶結び部とから構成される着物用の帯であって、
帯本体には、帯本体を着物に巻いて留めるための帯留め部が設けられ、さらに蝶結びを形成する蝶結び部が連結されており、
前記の蝶結び部は、蝶結びの羽根部分を構成するちょうちょ部と、蝶結びのたれを構成するたれ部と、蝶結びを結ぶ結び紐とを含み構成された蝶結び帯であることを特徴としている。
【００１１】
また、上記課題を解決するため、請求項５に記載の発明においては、
請求項４に記載の発明において、
蝶結びを結ぶ結び紐は２本設けられた蝶結び帯であることを特徴としている。
【００１２】
また、上記課題を解決するため、請求項６に記載の発明においては、
請求項４または５のいずれかに記載の発明において、
前記のちょうちょ部は帯本体の１か所において連結され、
さらに前記のたれ部と、前記の結び紐とが、帯本体に連結されて構成された蝶結び紐であることを特徴としている。
【００１３】
また、上記課題を解決するため、請求項７に記載の発明においては、
請求項４〜６のいずれかに記載の発明において、
前記の結び紐を、蝶結び部に設けられた結び用ループに通す構成とした蝶結び紐であることを特徴としている。
【００１４】
また、上記課題を解決するため、請求項８に記載の発明においては、
請求項４〜７のいずれかに記載の発明において、
前記の結び紐は、蝶結びを背中側で結び、次いで身体の左右それぞれに廻して腹部側で結ぶように構成された蝶結び紐であることを特徴としている。
【００１５】
また、上記課題を解決するため、請求項９に記載の発明においては、
請求項１〜８のいずれかに記載の発明において、
前記の帯留め部は、ファスナー、面ファスナー、スナップ、ボタン、ホックのいずれかの着脱部材を用いて着脱可能にされた蝶結び帯であることを特徴としている。
【００１６】
【発明の実施の形態】
以下、本発明の実施の形態について図面を参照して説明する。
本発明は、帯本体と、蝶結びを形成する蝶結び部とから構成される着物用の帯である。
【００１７】
（第一の実施形態）
初めに、本発明の蝶結び帯の第一の実施形態について説明する。
図１、および図２は、本発明の蝶結び帯の第一の実施形態の基本的な構成を示す図である。
各図において、符号１は帯本体、２（２ａ、２ｂ）は帯留め部、３（３ａ、３ｂ）は蝶結び部を示している。
図１は蝶結び帯を着用した際に背中方向を外側から見たものであり、図２は蝶結び帯を着用した際には体に巻かれて見えなくなる内側から見たものである。
【００１８】
初めに、本発明の蝶結び帯は帯本体１を備えているが、帯本体１は、通常知られている帯と同様の素材からなることが通例であり、またそのデザインや形状（幅等）は帯として使用できるならば様々に構成することができる。
【００１９】
帯本体１には、帯本体１を着物に巻いて留めるための帯留め部２が設けられている。帯留め部２は、着物を着用するために体に巻いた帯をその状態で固定するために、帯本体１の端近辺同士を固着するためのものである。
図１及び図２においては、帯留め部２は、帯本体１の端近辺の内側に設けられた帯留め部２ａと、帯本体１の端近辺の外側に設けられた帯留め部２ｂとの一対の帯留め部２から構成されている。具体的に帯留め部２としては、面ファスナーが図では示されている。この他にも、帯留め部２は、ホック、ボタン、結び紐、その他の様々な着脱部材を利用することができる。また帯留め部２は、１か所で留める形態のほかにも、複数箇所で留める形態を採用してもよい。
【００２０】
次に、帯本体１には、さらに蝶結びを形成する蝶結び部３が連結されている。
蝶結び部３は、帯本体に連結されて蝶結びを構成するものであり、その形状や構成には様々なものを採用することができる。また蝶結び部３を帯本体１とは着脱可能にしてもよい。
【００２１】
第一の実施形態においては、蝶結び部３は、帯本体１に固着されて連結されており、帯本体１とは２箇所において一対の蝶結び部３ａ、３ｂそれぞれ連結されており、蝶結び部３ａ、３ｂ同士を結んで蝶結びを形成するようにされている。蝶結び部３（３ａ、３ｂ）により蝶結びを形成した際に、前記の帯留め部２が隠れるように構成されている。
すなわち、帯本体１を着物に巻いて留めた状態で、一対の蝶結び部３（３ａ、３ｂ）を用いて蝶結びに結ぶことにより、前記の帯本体の２か所の間に位置する前記の帯留め部２が隠れるように構成されている。
【００２２】
帯留め部３は様々な素材や色彩を採用することができる。
帯留め部３の表裏をそれぞれ異なる色彩を有するようにすれば、蝶結びを結んだ際に、表の面と裏の面とが見えるため、装飾性に優れる。また、表の面と裏の面とでは素材の布の質などを異なるようにしてもよい。
【００２３】
次に本発明の第一の実施形態における蝶結び帯の着用手順について説明する。
図３から図９は、本発明の第一の実施形態における蝶結び帯の着用手順の好ましい一例を示す図である。
初めに図３を参照すると、背中中心のあたりで、帯本体１に設けられた面ファスナーなどの帯留め部２を止める。
次いで図４に示すように、蝶結び部３ａ、３ｂ同士をひと結びする。
次に、図５に示すように、蝶結び部３ａの部分を２つ折にして、蝶結びの片側の羽部分を形成する。蝶結び３ｂの部分は、２つ折にした蝶結び部３ａをくるむようにして持ち上げ、面ファスナーなどで留めた帯本体１の内側に入れ込む。
次いで図６に示すように、蝶結び部３ｂを、帯本体１の背の中心の下から出す。
【００２４】
次に、図７、図８に示すように、蝶結びのもう片方の羽部分を形成する。
蝶結び部３ｂの結び目になる部分ｃの内側へ、２つ折にした蝶結び部３ｂを入れ込む。この際、帯留め部３の表裏をそれぞれ異なる色彩を有するようにされている場合には、結び目の色を合わせるためにねじっているが、ねじらずに結んで異なる色の効果を楽しんでもよい。
形を整えたら図９に示すように蝶結びが完成する。
【００２５】
（第二の実施形態）
次に、本発明の蝶結び帯の第一の実施形態について説明する。
図１０は、本発明の蝶結び帯の第一の実施形態の基本的な構成を示す図である。
各図において、符号１は帯本体、２は帯留め部、３は蝶結び部を示している。３０は「ちょうちょ」部、３１は「たれ」部、３２は結び紐である。
また、図１１から図１９は、本発明の第二の実施形態における蝶結び帯の着用手順の好ましい一例を示す図である。
【００２６】
本発明の第二の実施形態は、帯本体１と、蝶結びを形成する蝶結び部３とから構成される着物用の蝶結び帯である。
帯本体１には、帯本体１を着物に巻いて留めるための帯留め部２が設けられている。
帯留め部２は第一の実施形態と共通し、帯本体１の端近辺の内側に設けられた帯留め部２ａと、帯本体１の端近辺の外側に設けられた帯留め部２ｂとの一対の帯留め部２から構成されている。具体的に帯留め部２としては、面ファスナーが図では示されている。この他にも、帯留め部２は、ホック、ボタン、結び紐、その他の様々な着脱部材を利用することができる。また帯留め部２は、１か所で留める形態のほかにも、複数箇所で留める形態を採用してもよい。
【００２７】
帯本体１には、さらに蝶結びを形成する蝶結び部３が連結されている。
第二の実施形態においては、蝶結び部３は、蝶結びの羽根部分を構成するちょうちょ部３０と、蝶結びのたれを構成するたれ部３１と、蝶結びを結ぶ結び紐３２とを含み構成されている。
【００２８】
蝶結びを結ぶ結び紐は、その素材、太さなどには特に限定されず、また本数も特に限定はしないが、好ましい例として図では２本設けられた蝶結び帯を示している。
【００２９】
第一の実施形態においては、蝶結び部３は３ａ、３ｂの２箇所において帯本体１に連結されているが、第二の実施形態においては、ちょうちょ部３０は帯本体の１か所において連結されている。
さらにたれ部３１と、結び紐３２とが、帯本体１に連結されて構成されている。
【００３０】
結び紐３２は、図１０に示されるように蝶結び部３に設けられた結び用ループ３３に通す構成とされており、蝶結びを形成し固定するために用いる紐である。結び紐３２は、蝶結びを背中側で結び、次いで身体の左右それぞれに廻して腹部側で結ぶように長さ等を十分にもたせて構成すれば、さらに蝶結びを固定した後に帯を固定することができる。
【００３１】
次に本発明の第二の実施形態における蝶結び帯の着用手順について、図１１から図１９を参照して説明する。
初めに、図１１を参照すると、帯のちょうちょになる部分であるちょうちょ部３０を２つ折、あるいは３つ折りかそれ以上に折って、皺を適度に設ける。
次いで図１２に示すように、結び紐３２をちょうちょ上部の結び用ループ３３に通す。
図１３に示すように、結び用ループ３３に通した結び紐３２を強く引き、ちょうちょの形を整えて固定する。
次いで図１４に示すように、結び目になる部分であるたれ部３１をおろし、図１５に示すように帯本体１の端を腰の脇にあてて巻き始める。
【００３２】
次に図１６を参照すると、ちょうちょ結びが背中心にくるように、左脇あたりで帯本体１を面ファスナーなどの帯留め部２で止める。帯留め部２は、１か所で留める形態のほかにも、複数箇所で留める形態を採用してもよい。
結び紐３２は、図１７に示すように前で結び、見えないように、帯の中にしまい込む。
図１８に示すように形を整えたら蝶結びが完成する。
また、図１９に示すように、帯締めを使って結び目を内側に仕舞い込めば、通常のちょうちょ結びにすることができる。
【００３３】
【発明の効果】
以上詳細に説明したように、本発明によれば、熟練した着付け人を必要としなくても、気軽に着物を着て蝶結び帯を楽しむことができるとともに、さらに結んだ後にも着崩れがしにくく、また見た目には帯を自然に結んだように見える蝶結び帯を提供することが可能になる。
また、複雑な固定具や補強具などを必要とすることなく、上記の蝶結び帯を提供することができる。
【図面の簡単な説明】
【図１】本発明のシステムの基本的な構成の一例を示すシステム構成図である。本発明の蝶結び帯の第一の実施形態の基本的な構成を示す図である。
【図２】本発明の蝶結び帯の第一の実施形態の基本的な構成を示す図である。
【図３】本発明の第一の実施形態における蝶結び帯の着用手順の好ましい一例を示す図である。
【図４】本発明の第一の実施形態における蝶結び帯の着用手順の好ましい一例を示す図である。
【図５】本発明の第一の実施形態における蝶結び帯の着用手順の好ましい一例を示す図である。
【図６】本発明の第一の実施形態における蝶結び帯の着用手順の好ましい一例を示す図である。
【図７】本発明の第一の実施形態における蝶結び帯の着用手順の好ましい一例を示す図である。
【図８】本発明の第一の実施形態における蝶結び帯の着用手順の好ましい一例を示す図である。
【図９】本発明の第一の実施形態における蝶結び帯の着用手順の好ましい一例を示す図である。
【図１０】本発明の蝶結び帯の第一の実施形態の基本的な構成を示す図である。
【図１１】本発明の第二の実施形態における蝶結び帯の着用手順の好ましい一例を示す図である。
【図１２】本発明の第二の実施形態における蝶結び帯の着用手順の好ましい一例を示す図である。
【図１３】本発明の第二の実施形態における蝶結び帯の着用手順の好ましい一例を示す図である。
【図１４】本発明の第二の実施形態における蝶結び帯の着用手順の好ましい一例を示す図である。
【図１５】本発明の第二の実施形態における蝶結び帯の着用手順の好ましい一例を示す図である。
【図１６】本発明の第二の実施形態における蝶結び帯の着用手順の好ましい一例を示す図である。
【図１７】本発明の第二の実施形態における蝶結び帯の着用手順の好ましい一例を示す図である。
【図１８】本発明の第二の実施形態における蝶結び帯の着用手順の好ましい一例を示す図である。
【図１９】本発明の第二の実施形態における蝶結び帯の着用手順の好ましい一例を示す図である。
【図１】
2005023489.tif 000003
【図２】
2005023489.tif 000004
【図３】
2005023489.tif 000005
【図４】
2005023489.tif 000006
【図５】
2005023489.tif 000007
【図６】
2005023489.tif 000008
【図７】
2005023489.tif 000009
【図８】
2005023489.tif 000010
【図９】
2005023489.tif 000011
【図１０】
2005023489.tif 000012
【図１１】
2005023489.tif 000013
【図１２】
2005023489.tif 000014
【図１３】
2005023489.tif 000015
【図１４】
2005023489.tif 000016
【図１５】
2005023489.tif 000017
【図１６】
2005023489.tif 000018
【図１７】
2005023489.tif 000019
【図１８】
2005023489.tif 000020
【図１９】
2005023489.tif 000021